(57)【要約】【課題】ユーザの好み、体質及び健康状態などが反映されたユーザに適切な食品情報が表示される冷蔵庫が提供される。【解決手段】少なくとも一つの冷却室が設けられた冷蔵庫において、ユーザに関するユーザ情報データ及び前記冷却室に貯蔵された食品に関する食品情報データが貯蔵されるメモリと、現ユーザを認識するユーザ認識部と、前記ユーザ情報データのなかで、前記ユーザ認識部により認識された前記現ユーザに関するユーザ情報データに対応する食品情報データを検出する制御部と、前記制御部により検出された食品情報データを表示するディスプレイ部とを含むことを特徴とする。【選択図】　図２
2004085173.tif 000002
【特許請求の範囲】
【請求項１】
少なくとも一つの冷却室が設けられた冷蔵庫において、
ユーザに関するユーザ情報データ及び前記冷却室に貯蔵された食品に関する食品情報データが貯蔵されるメモリと、
現ユーザを認識するユーザ認識部と、
前記ユーザ情報データのなかで、前記ユーザ認識部により認識された前記現ユーザに関するユーザ情報データに対応する食品情報データを検出する制御部と、
前記制御部により検出された食品情報データを表示するディスプレイ部と
を含むことを特徴とする冷蔵庫。
【請求項２】
前記ユーザ認識部は、指紋認識装置及び紅彩認識装置のうちのいずれか一つを含むことを特徴とする請求項１に記載の冷蔵庫。
【請求項３】
前記ユーザ情報データは、ユーザが好む食品リスト及びユーザの体質情報のうちの少なくともいずれか一つであることを特徴とする請求項１に記載の冷蔵庫。
【請求項４】
ユーザの健康情報が入力される健康情報入力部をさらに含むことを特徴とする請求項１に記載の冷蔵庫。
【請求項５】
前記ユーザ情報データは、健康状態にしたがって分類された食品リストをさらに含むことを特徴とする請求項４に記載の冷蔵庫。
【請求項６】
前記食品情報データが入力される食品情報入力部をさらに含むことを特徴とする請求項１に記載の冷蔵庫。
【請求項７】
前記冷却室から取り出される食品を認識する食品情報取出部をさらに含み、
前記制御部は、前記食品情報取出部から認識された食品の食品情報データをメモリから削除することを特徴とする請求項６に記載の冷蔵庫。
【請求項８】
ユーザの健康情報を入力できる冷蔵庫の健康情報入力方法において、
ユーザに関するユーザ情報データを貯蔵する段階と、
現ユーザを認識する段階と、
前記現ユーザの健康情報を入力する段階と、
前記ユーザ情報データに前記認識された現ユーザの健康情報データの存在可否を確認する段階と、
前記現ユーザの健康情報データが存在する場合、前記入力された現ユーザの健康情報を前記現ユーザの健康情報データとして貯蔵する段階と
を含むことを特徴とする冷蔵庫の健康情報入力方法。
【請求項９】
前記現ユーザの健康情報データが存在しない場合、前記入力された現ユーザの健康情報の貯蔵の承認可否を確認する段階と、
前記現ユーザの健康情報の貯蔵が承認される場合、前記現ユーザの健康情報を前記ユーザの健康情報データとして貯蔵する段階と
をさらに含むことを特徴とする請求項８に記載の冷蔵庫の健康情報入力方法。
【発明の詳細な説明】
【０００１】
【発明の属する技術分野】
本発明は、冷蔵庫に係り、より詳細には、ユーザに適合する食品情報が表示されるディスプレイ部を有する冷蔵庫及びその制御方法に関する。
【０００２】
【従来の技術】
最近、多機能及び大型の製品を好む消費者の要求に応ずる冷蔵庫が生産されている。例えば、冷蔵庫のドアが閉じられた状態でも、浄水された水を得られるディスペンサー装置、自動的に氷を製氷する製氷機などの機能を有する冷蔵庫がある。
また、ユーザが願う食品に関する様々な情報、特に、ユーザの好みや健康状態などに合う食品に対する情報を提供する冷蔵庫が開発されれば、さらに便宜だろう。
【０００３】
【発明が解決しようとする課題】
本発明の目的は、前述した問題点を解決するため、ユーザに適合する食品に関する情報を提供する冷蔵庫及びその制御方法を提供することである。
【０００４】
【課題を解決するための手段】
上記課題を解決するため、本発明の主たる観点によれば、少なくとも一つの冷却室が設けられた冷蔵庫において、ユーザに関するユーザ情報データ及び前記冷却室に貯蔵された食品に関する食品情報データが貯蔵されるメモリと、現ユーザを認識するユーザ認識部と、前記ユーザ情報データのなかで、前記ユーザ認識部により認識された前記現ユーザに関するユーザ情報データに対応する食品情報データを検出する制御部と、前記制御部により検出された食品情報データを表示するディスプレイ部とを含むことを特徴とする冷蔵庫が提供される。
【０００５】
ここで、前記ユーザ認識部は、指紋認識装置及び紅彩認識装置のうちのいずれか一つを使用することが好ましい。
前記ユーザ情報データは、ユーザが好む食品リスト及びユーザの体質情報のうちの少なくともいずれか一つであることが好ましい。ここで、前記体質情報データは、体質にしたがって対応する食品が分類された体質別食品のリストを含むことが効果的である。
【０００６】
ユーザの健康情報が入力される健康情報入力部をさらに含み、前記ユーザ情報データは、健康状態にしたがって分類された食品リストをさらに含むことが好ましい。ここで、前記健康情報入力部は、脈拍数が測定されて入力される脈拍数測定装置、血糖量が測定される血糖量測定装置及び体重測定装置のうちいずれか一つであることが好ましい。
【０００７】
また、前記食品情報データが入力される食品情報入力部をさらに含むことができる。ここで、前記食品情報入力部は、前記冷却室に貯蔵される食品に設けられたバーコードを判読する入力バーコードリーダを使用することが効果的である。
前記冷却室から取り出される食品を認識する食品情報取出部をさらに含み、前記制御部は、前記食品情報取出部から認識された食品の食品情報データをメモリから削除することが好ましい。ここで、前記食品情報取出部は、前記冷却室に貯蔵される食品に設けられたバーコードを判読する取出しバーコードリーダであることが好ましい。
【０００８】
前記食品情報データは、前記冷却室に貯蔵された食品のリスト、貯蔵時間、個数、貯蔵位置のうち少なくともいずれか一つを含むことが好ましい。
上記課題を解決するため、本発明の他の観点によれば、ユーザの健康情報を入力できる冷蔵庫の健康情報入力方法において、ユーザに関するユーザ情報データを貯蔵する段階と、現ユーザを認識する段階と、前記現ユーザの健康情報を入力する段階と、前記ユーザ情報データに前記認識された現ユーザの健康情報データの存在可否を確認する段階と、前記現ユーザの健康情報データが存在する場合、前記入力された現ユーザの健康情報を前記現ユーザの健康情報データとして貯蔵する段階とを含むことを特徴とする冷蔵庫の健康情報入力方法が提供される。
【０００９】
ここで、前記現ユーザの健康情報データが存在しない場合、前記入力された現ユーザの健康情報の貯蔵の承認可否を確認する段階と、前記現ユーザの健康情報の貯蔵が承認される場合、前記現ユーザの健康情報を前記ユーザの健康情報データとして貯蔵する段階とをさらに含むことが好ましい。
【００１０】
【発明の実施の形態】
以下、本発明の実施の形態を、図面を用いて説明する。なお、本明細書及び図面において、実質的に同一の機能構成を有する構成要素については、同一の符号を付することにより重複説明を省略する。
一般に、冷蔵庫は食品を貯蔵する冷蔵室及び冷凍室などの冷却室と、冷却室を開閉するドアと、冷却室の内部を冷却する冷却システムとを有する。
【００１１】
本発明の第１実施形態による冷蔵庫は、図１に示すように、ユーザに関するユーザ情報データ及び冷却室に貯蔵された食品に関する食品情報データが貯蔵されるメモリ１０と、現在に冷蔵庫を使用するユーザ（以下、‘現ユーザ’といい）を認識するユーザ認識部２０と、ユーザ情報のなかでユーザ認識部２０により認識された現ユーザに関するユーザ情報データに対応する食品情報データを検出する制御部３０と、制御部３０により検出された食品情報データを表示するディスプレイ部４０とを含む。
【００１２】
メモリ１０に貯蔵される食品情報データは、冷却室に貯蔵された食品のリスト、貯蔵時間、貯蔵された各食品の個数、貯蔵位置及びカロリーなどのように食品が有している栄養素に対する情報などを含む。
ユーザ認識部２０は、冷蔵庫の現ユーザを認識し、制御部３０と電気的に連結されて認識した現ユーザに関する情報を制御部３０に伝達する。本発明によるユーザ認識部２０は、各ユーザが有している固有の生体情報、例えば、指紋や紅彩を認識できる指紋認識装置または紅彩認識装置を使用することが好ましい。
【００１３】
指紋認識装置は、冷蔵庫本体の所定の位置、例えば、ドアの取っ手に設け、ユーザがドアの開放のため、取っ手を把持する場合、現ユーザの指紋を認識して、その指紋イメージを制御部３０に伝送する。また、紅彩認識装置は、冷蔵庫の前面に所定の位置に設けられて、ユーザの紅彩の形状を感知して、それに関する情報を制御部３０に伝送する。
【００１４】
メモリ１０に貯蔵されたユーザ情報データは、現ユーザの認識のための指紋または紅彩などに関する情報、各ユーザが好む食品のリスト、各ユーザの体質に関する体質情報データなどを含む。ここで、体質情報データは、各体質に適合する体質別食品のリストなどを含む。
ユーザ情報データは、冷蔵庫の生産時に予めメモリ１０に貯蔵することもでき、別途のユーザ情報入力部（図示せず）を設けて入力及び貯蔵することもできる。
【００１５】
制御部３０は、メモリ１０、ユーザ認識部２０及びディスプレイ部４０と電気的に連結されて、ユーザ認識部２０により認識された現ユーザに関する情報をメモリ１０から検出してディスプレイ部４０に伝達する。
前記構成により、ユーザが冷蔵庫から食品を取り出す場合の冷蔵庫の制御過程は図２の通りであり、図２を参照しながら説明する。
【００１６】
まず、ユーザに関するユーザ情報データ及び冷却室に貯蔵された食品に関する食品情報データが、メモリ１０に貯蔵された状態（Ｓ１１）で、ユーザが冷蔵庫を使用する場合、ユーザ認識部２０が現使用者を認識する（Ｓ１２）。ユーザ認識部２０により認識された現ユーザに対する情報は制御部３０に伝達され、制御部３０はメモリ１０に予め貯蔵されているユーザ情報データを検索して（Ｓ１３）、現ユーザに関するユーザ情報データがあるか否かを確認する（Ｓ１４）。現ユーザに関するユーザ情報データがメモリ１０にある場合、制御部３０は現ユーザに関するユーザ情報データに対応する食品情報データを検出する（Ｓ１５）。次に、制御部３０は、検索された食品情報データをディスプレイ部４０に表示する（Ｓ１６）。ここで、現使用者に対する使用者情報データがメモリ１０にない場合、制御部３０は現ユーザに対するユーザ情報データがないことをディスプレイ部４０に表示する（Ｓ１７）。これにより、現ユーザは、ディスプレイ部４０に表示された食品のなかで、自分が好む食品や体質に適合する食品のリスト、貯蔵期間及び貯蔵位置などに関する情報を得ることができる。
【００１７】
図３は本発明の第２実施形態による冷蔵庫の概略的な構成図である。図面に示すように、本発明の第２実施形態による冷蔵庫は、ユーザの健康情報が入力される健康情報入力部５０をさらに含む。また、ユーザ情報データは、健康情報にしたがって適合する食品が分類された健康状態別食品リストを含む。
ここで、健康情報入力部５０には、ユーザの脈拍数を測定する脈拍数測定装置、ユーザの血糖量を測定する血糖量測定装置及び体重を測定する体重測定装置のうちいずれか一つが設けられる。また、ユーザ情報データは、脈拍数や血糖量または体重などの健康情報に基づいて、健康状態別に適合する食品が分類された健康状態別食品リストを含む。
【００１８】
前記構成により、ユーザの健康情報が入力されて貯蔵される過程は次の通りであり、図４を参照して説明する。
まず、ユーザに関するユーザ情報データが、メモリ１０に貯蔵された状態で（Ｓ３１）、ユーザ認識部２０が現ユーザを認識する（Ｓ３２）。ユーザ認識部２０により認識された現ユーザに対する情報は制御部３０に伝達され、制御部３０はメモリ１０に予め貯蔵されているユーザ情報データを検索して（Ｓ３３）、現ユーザに関する健康情報データがあるか否かを確認する（Ｓ３４）。ここで、現ユーザに関するユーザ情報データがメモリ１０に存在する場合、制御部３０は健康情報入力部５０により入力される現ユーザの健康情報が伝達されて、これを新しい健康情報データとしてアップデートする（Ｓ３５）。
【００１９】
一方、現ユーザに対する健康情報データがメモリ１０に存在しない場合、制御部３０は現ユーザの健康情報の貯蔵可否に対して現ユーザに承認を受ける（Ｓ３６）。ここで、現ユーザに関する健康情報の貯蔵可否は、制御部３０がディスプレイ部４０に承認可否を表示し、ユーザはディスプレイ部４０に設けられたキー操作部やタッチスクリーン方式などにより、健康情報の貯蔵可否を承認することができる。制御部３０は、現ユーザから健康情報の貯蔵が承認される場合、健康情報入力部５０から入力された現ユーザの健康情報データをメモリに貯蔵し（Ｓ３７）、貯蔵が不許される場合、健康情報入力段階を終了する。
【００２０】
一方、メモリ１０に貯蔵されたユーザの健康情報は、食品情報データと共に貯蔵される。このような状態で、ユーザが冷蔵庫を使用する場合、制御部３０は、ユーザ認識部２０により認識された現ユーザの健康情報データに基づいて、現ユーザの健康状態に適合する食品を健康状態別の食品リストから検出する。次に、制御部は、冷蔵庫に貯蔵された食品のなかで、検出した健康状態別の食品リストに対応する食品を食品情報データから検出して、ディスプレイ部４０に表示する。これにより、冷蔵庫に貯蔵されている食品のなかで、ユーザの現在健康状態に適合する食品をディスプレイ部４０に表示することができる。
【００２１】
また、本発明の第３実施形態による冷蔵庫は、冷蔵庫に貯蔵される食品に関する情報が入力される食品情報入力部６０をさらに含む。本発明では、食品情報入力部６０の一例として、食品に設けられたバーコードを判読するバーコードリーダーを採用している。これにより、冷蔵庫に食品を貯蔵する場合、食品に設けられたバーコードをバーコードリーダーが認識し、制御部３０は認識された食品に関する食品情報データをメモリ１０に貯蔵する。これにより、食品情報データが食品を貯蔵する段階で自動的に入力されてユーザに便宜を提供する。
【００２２】
また、本発明の第３実施形態による冷蔵庫において貯蔵された食品を取り出す場合、これを認識する食品情報取出部７０を含むことができ、制御部３０は食品情報取出部７０により認識された食品に関する食品情報データをメモリ１０から削除する。これにより、冷蔵庫から取り出される食品に関する食品情報データを削除することにより、貯蔵された食品に関する正確なデータをユーザに提供することができる。ここで、食品情報取出部７０は、食品情報入力部の如く、食品に設けられたバーコードを判読することができるバーコードリーダーを使用することができる。
【００２３】
前述の実施形態の食品情報データ及びユーザ情報データに含まれる情報は、一例に過ぎず、他の情報が含まれることもできる。
このように、本発明では、ユーザを認識し、認識されたユーザに適合する食品をユーザ情報データ及び食品情報データにより検出して表示することにより、ユーザの便宜を図ることができる。
【００２４】
また、ユーザの健康情報を自動に入力することができ、入力された健康情報に基づいて適合する食品を表示することにより、ユーザの健康状態が反映された食品情報を提供することができる。
以上、本発明に係る適合する実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【００２５】
【発明の効果】
前述したように、本発明によると、ユーザの好み、体質及び健康状態などが反映されたユーザに適合する食品情報が表示される冷蔵庫を提供することができる。
【図面の簡単な説明】
【図１】本発明の第１実施形態による冷蔵庫の構成図である。
【図２】本発明の第１実施形態による冷蔵庫の制御フローチャートである。
【図３】本発明の第２実施形態による冷蔵庫の構成図である。
【図４】本発明の第２実施形態による冷蔵庫の健康情報入力制御フローチャートである。
【図５】本発明の第３実施形態による冷蔵庫の構成図である。
【符号の説明】
１０…メモリー
２０…ユーザ認識部
３０　　　…制御部
４０…ディスプレイ部
５０…健康情報入力部
６０　　　…食品情報入力部
７０　　　…食品情報取出部
【図１】
2004085173.tif 000003
【図２】
2004085173.tif 000004
【図３】
2004085173.tif 000005
【図４】
2004085173.tif 000006
【図５】
2004085173.tif 000007